(57)【特許請求の範囲】
【請求項１】
第１方向から入射する第１波長の光を回折する第１干渉縞と、前記第１方向から入射する第１波長とは異なる第２波長の光を回折する第２干渉縞と、を有した体積型ホログラムを製造する方法であって、
ホログラム記録材料へ第１方向から第１波長の第１参照光を入射させるとともに、前記ホログラム記録材料へ前記第１波長の第１物体光を入射させて、第1干渉縞を前記ホログラム記録材料に記録する工程と、
前記ホログラム記録材料へ前記第１方向とは異なる第２方向から第１波長の第２参照光を入射させるとともに、前記ホログラム記録材料へ第２物体光を入射させて、前記第２干渉縞を前記ホログラム記録材料に記録する工程と、を含み、
前記第１干渉縞を記録する工程および前記第２干渉縞を記録する工程が並行して実施され、
前記第１参照光は、第１レーザ光源から発生され、前記第２参照光は、前記第１レーザ光源とは別の第２レーザ光源から発生される、
ことを特徴とする体積型ホログラムの製造方法。
【請求項２】
少なくとも前記第１方向からの前記第２波長の光を前記第２干渉縞で回折してなる再生光が観察される方向から、前記第１方向からの前記第１波長の光を前記第1干渉縞で回折してなる再生光が、観察され得るように、前記第２方向は決定されている、
ことを特徴とする請求項１に記載の体積型ホログラムの製造方法。
【請求項３】
前記第１干渉縞を記録する工程において、前記ホログラム記録材料の一方の面の側から当該ホログラム記録材料へ入射した前記第１参照光が、前記ホログラム記録材料を透過した後、前記ホログラム記録材料の他方の面の側に配置された反射型体積ホログラムからなる第１ホログラム原版へそのブラッグ条件を満たすように入射し、前記第１ホログラム原版からの回折光が第１物体光として前記ホログラム記録材料に前記他方の面の側から入射し、
前記第２干渉縞を記録する工程において、前記ホログラム記録材料へ前記一方の面の側から入射した前記第２参照光が、前記ホログラム記録材料を透過した後、前記ホログラム記録材料の前記他方の面の側に配置された反射型体積ホログラムからなる第２ホログラム原版へそのブラッグ条件を満たすように入射し、前記第２ホログラム原版からの回折光が第２物体光として前記ホログラム記録材料に前記他方の面の側から入射する、
ことを特徴とする請求項１または２に記載の体積型ホログラムの製造方法。
【請求項４】
前記第１干渉縞を記録する工程において、前記ホログラム記録材料の一方の面の側に配置された透過型体積ホログラムからなる第１ホログラム原版へそのブラッグ条件を満たすように入射した光のうちの、前記第１ホログラム原版からの回折光が第１物体光として、並びに、当該光のうちの前記第１ホログラム原版からの０次光が第１参照光として、それぞれ、前記ホログラム記録材料に前記一方の面の側から入射し、
前記第２干渉縞を記録する工程において、前記ホログラム記録材料の一方の面の側に配置された透過型体積ホログラムからなる第２ホログラム原版へそのブラッグ条件を満たすように入射した光のうちの、前記第２ホログラム原版からの回折光が第２物体光として、並びに、当該光のうちの前記第２ホログラム原版からの０次光が第２参照光として、それぞれ、前記ホログラム記録材料に前記一方の面の側から入射する、
ことを特徴とする請求項１または２に記載の体積型ホログラムの製造方法。
【請求項５】
前記第１ホログラム原版および前記第２ホログラム原版を重ね合わせてなる積層原版を、前記ホログラム記録材料へ積層した状態で、前記第１干渉縞を記録する工程および前記第２干渉縞を記録する工程が実施される、
ことを特徴とする請求項３または４に記載の体積型ホログラムの製造方法。
【請求項６】
前記第２ホログラム原版を製造する工程を、さらに備え、
前記第２物体光は、前記第２干渉縞がそのブラッグ条件を満たす入射光を回折することによって体積型ホログラムの表面と平行な面上に位置する二次元パターンが再生されるように、構成されおり、
前記第２ホログラム原版を製造する工程は、
前記第２ホログラム原版用のホログラム記録材料上に、前記二次元パターンと同一パターンのマスクを配置した状態で、前記第２ホログラム原版用ホログラム記録材料を前記マスクが配置されている側から露光する工程と、
露光された前記第２ホログラム原版用ホログラム記録材料に、ホログラフィック散乱板を積層した状態で、参照光および前記ホログラフィック散乱板からの回折光としての物体光を前記第２ホログラム原版用ホログラム記録材料に入射させる工程と、を有する、
ことを特徴とする請求項３〜５のいずれか一項に記載の体積型ホログラムの製造方法。
【請求項７】
前記第１物体光は、前記第１干渉縞がそのブラッグ条件を満たす入射光を回折することによって三次元像が再生されるように、構成されている、
ことを特徴とする請求項１〜６のいずれか一項に記載の体積型ホログラムの製造方法。
【請求項８】
第２物体光は平行光束である、
ことを特徴とする請求項１〜７のいずれか一項に記載の体積型ホログラムの製造方法。
【請求項９】
前記第２物体光は、前記第２干渉縞がそのブラッグ条件を満たす入射光を回折することによって体積型ホログラムの表面と平行な面上に位置する二次元パターンが再生されるように、構成されている、
ことを特徴とする請求項１〜７のいずれか一項に記載の体積型ホログラムの製造方法。
【請求項１０】
前記第１物体光は、前記第１干渉縞がそのブラッグ条件を満たす入射光を回折することによって体積型ホログラムの表面と平行な面上に位置する二次元パターンが再生されるように、構成され、
前記第２物体光は、前記第２干渉縞がそのブラッグ条件を満たす入射光を回折することによって体積型ホログラムの表面と平行な面上に位置する二次元パターンが再生されるように、構成されおり、
前記第１方向からの前記第１波長の光を前記第１干渉縞で回折することによって再生される前記二次元パターンの位置と、前記第１方向からの前記第２波長の光を前記第２干渉縞で回折することによって再生される前記二次元パターンの位置とが、体積型ホログラムの表面への法線方向にずれるように、前記第１物体光および前記第２物体光が構成されている、
ことを特徴とする請求項１〜６のいずれか一項に記載の体積型ホログラムの製造方法。
【請求項１１】
前記二次元パターンは、文字、数字、記号および模様からなる群より選択される一以上であり、
前記二次元パターンを構成する一つの文字、数字、記号または模様は、７２μｍ四方の領域内に入る大きさとなっている、
ことを特徴とする請求項９または１０に記載の体積型ホログラムの製造方法。
【発明の詳細な説明】
【技術分野】
【０００１】
本発明は、コンタクトコピーに対して優れた耐性を有するホログラムを製造することができる製造方法に関する。また、本発明は、コンタクトコピーに対して優れた耐性を有するホログラムに関する。
【背景技術】
【０００２】
従来、二光束の干渉により生じる干渉縞をホログラム記録材料（感光材料）に記録してなる体積型ホログラムが、知られている（例えば、特許文献１）。体積型ホログラムは、いわゆるブラッグ条件と呼ばれる波長および光路方向に関する条件を満たす光を、高い回折効率で回折する光学素子として、種々の分野で使用されている。とりわけ、ホログラムには、再生する像に高い意匠性を付与することができ、これにともなって、ホログラムは高い識別性を有するようになる。この結果、ホログラムは優れた真贋判定指標を提供することができ、これにより、真正性を標示する真正性標示体として用いられている。
【０００３】
体積型ホログラムは、典型的な製造方法として、ホログラム記録材料に干渉性を有した二つの光束を互いに異なる方向から照射することにより、製造され得る。この製造方法では、二つの光束が干渉することにより干渉縞（干渉パターン）が生成され、感光性を有したホログラム記録材料は、この干渉縞をなす光の強弱パターンに対応して反応する。結果として、干渉縞が、何らかの縞状パターン、例えば屈折率の変化、透過率の変化、あるいは、形状変化（凹凸パターンの形成）として、ホログラム記録材料に記録される。そして、ブラッグ条件を満たす前記光は、感光材料に記録された干渉縞によって、高い回折効率で回折されるようになる。
【先行技術文献】
【特許文献】
【０００４】
【特許文献１】特開２０００−１６２９５２号公報
【発明の概要】
【発明が解決しようとする課題】
【０００５】
しかしながら、このような体積型ホログラムは、入手が困難であるレーザ光源（露光装置）やホログラム記録材料を入手することさえできれば、コンタクトコピーと呼ばれる方法によって複製され得る。具体的には、ホログラム記録材料に複製対象となる体積型ホログラムを積層し、次に、ホログラム記録材料に体積型ホログラムとは反対の側から、体積型ホログラムのブラッグ反射条件を満たすような条件で、露光光を入射させる。この結果、ホログラム記録材料に入射する露光光と、ホログラム記録材料を透過した露光光を体積型ホログラムで回折してなる再生光と、が干渉して干渉縞が生じ、この干渉縞が当該ホログラム記録材料に記録されて体積型ホログラムが複製される。当然、真正性標示体として用いられる体積型ホログラムが簡単に複製されることは、好ましくない。
【０００６】
特許文献１では、相互に異なる波長の光を回折する２枚以上の体積型ホログラムを多重記録あるいは重畳してなるカラーホログラムが開示されている。このカラーホログラムをコンタクトコピーするためには、各波長に対応した複数のレーザ光源を準備する必要があり、且つ、複数のレーザ光源で発生される各レーザ光の波長に対して感度を有したホログラム記録材料を入手する必要がある。したがって、複製を多少困難にすることができるが、その一方で、波長の異なる複数のレーザ光源を入手すること及び波長の異なる複数のレーザ光源からの光のそれぞれに対して感度を有したホログラム記録材料を入手することさえできれば、特許文献１に開示されたホログラムを複製することは可能である。
【０００７】
本発明はこのような点を考慮してなされたものであり、コンタクトコピーによる偽造に対して高い耐性を有するホログラムを提供すること、及び、コンタクトコピーによる偽造に対して高い耐性を有するホログラムの製造方法を提供することを目的とする。
【課題を解決するための手段】
【０００８】
本発明による体積型ホログラムの製造方法は、
第１方向から入射する第１波長の光を回折する第１干渉縞と、前記第１方向から入射する第１波長とは異なる第２波長の光を回折する第２干渉縞と、を有した体積型ホログラムを製造する方法であって、
ホログラム記録材料へ第１方向から第１波長の第１参照光を入射させるとともに、前記ホログラム記録材料へ前記第１波長の第１物体光を入射させて、第1干渉縞を前記ホログラム記録材料に記録する工程と、
前記ホログラム記録材料へ前記第１方向とは異なる第２方向から第１波長の第２参照光を入射させるとともに、前記ホログラム記録材料へ第２物体光を入射させて、前記第２干渉縞を前記ホログラム記録材料に記録する工程と、を含む。
【０００９】
本発明による体積型ホログラムの製造方法において、前記第１干渉縞を記録する工程および前記第２干渉縞を記録する工程が並行して実施されるようにしてもよい。なお、前記第１干渉縞を記録する工程および前記第２干渉縞を記録する工程は、部分的に並行して行われてもよいし、完全に同時に行われるようにしてもよい。このような本発明による体積型ホログラムの製造方法において、前記第１参照光は、第１レーザ光源から発生され、前記第２参照光は、前記第１レーザ光源とは別の第２レーザ光源から発生されるようにしてもよい。
【００１０】
あるいは、本発明による体積型ホログラムの製造方法において、前記第１干渉縞を記録する工程および前記第２干渉縞を記録する工程のいずれか一方が終了した後に、いずれか他方が実施されるようにしてもよい。このような本発明による体積型ホログラムの製造方法において、前記第１干渉縞を記録する工程において、前記ホログラム記録材料の前記第１参照光が入射する側の面上に、当該面の一部分を覆う第１マスクを配置し、前記第２干渉縞を記録する工程において、前記ホログラム記録材料の前記第２参照光が入射する側の面上に、当該面の前記一部分とは異なる部分を覆う第２マスクを配置するようにしてもよい。
【００１１】
また、本発明による体積型ホログラムの製造方法において、少なくとも前記第１方向からの前記第２波長の光を前記第２干渉縞で回折してなる再生光が観察される方向から、前記第１方向からの前記第１波長の光を前記第1干渉縞で回折してなる再生光が、観察され得るように、前記第２方向は決定されていてもよい。
【００１２】
さらに、本発明による体積型ホログラムの製造方法の前記第１干渉縞を記録する工程において、前記ホログラム記録材料の一方の面の側から当該ホログラム記録材料へ入射した前記第１参照光が、前記ホログラム記録材料を透過した後、前記ホログラム記録材料の他方の面の側に配置された反射型体積ホログラムからなる第１ホログラム原版へそのブラッグ条件を満たすように入射し、前記第１ホログラム原版からの回折光が第１物体光として前記ホログラム記録材料に前記他方の面の側から入射し、前記第２干渉縞を記録する工程において、前記ホログラム記録材料へ前記一方の面の側から入射した前記第２参照光が、前記ホログラム記録材料を透過した後、前記ホログラム記録材料の前記他方の面の側に配置された反射型体積ホログラムからなる第２ホログラム原版へそのブラッグ条件を満たすように入射し、前記第２ホログラム原版からの回折光が第２物体光として前記ホログラム記録材料に前記他方の面の側から入射するようにしてもよい。
【００１３】
あるいは、本発明による体積型ホログラムの製造方法の前記第１干渉縞を記録する工程において、前記ホログラム記録材料の一方の面の側に配置された透過型体積ホログラムからなる第１ホログラム原版へそのブラッグ条件を満たすように入射した光のうちの、前記第１ホログラム原版からの回折光が第１物体光として、並びに、当該光のうちの前記第１ホログラム原版からの０次光が第１参照光として、それぞれ、前記ホログラム記録材料に前記一方の面の側から入射し、前記第２干渉縞を記録する工程において、前記ホログラム記録材料の一方の面の側に配置された透過型体積ホログラムからなる第２ホログラム原版へそのブラッグ条件を満たすように入射した光のうちの、前記第２ホログラム原版からの回折光が第２物体光として、並びに、当該光のうちの前記第２ホログラム原版からの０次光が第２参照光として、それぞれ、前記ホログラム記録材料に前記一方の面の側から入射するようにしてもよい。
【００１４】
これらのような本発明による体積型ホログラムの製造方法において、前記第１ホログラム原版および前記第２ホログラム原版を重ね合わせてなる積層原版を、前記ホログラム記録材料へ積層した状態で、前記第１干渉縞を記録する工程および前記第２干渉縞を記録する工程が実施されるようにしてもよい。
【００１５】
また、このような本発明による体積型ホログラムの製造方法が、前記第２ホログラム原版を製造する工程を、さらに備え、
前記第２物体光は、前記第２干渉縞がそのブラッグ条件を満たす入射光を回折することによって体積型ホログラムの表面と平行な面上に位置する二次元パターンが再生されるように、構成されおり、
前記第２ホログラム原版を製造する工程は、
前記第２ホログラム原版用のホログラム記録材料上に、前記二次元パターンと同一パターンのマスクを配置した状態で、前記第２ホログラム原版用ホログラム記録材料を前記マスクが配置されている側から露光する工程と、
露光された前記第２ホログラム原版用ホログラム記録材料に、ホログラフィック散乱板を積層した状態で、参照光および前記ホログラフィック散乱板からの回折としての物体光を前記ホログラム原版用ホログラム記録材料に入射させる工程と、を有するようにしてもよい。
なお、前記ホログラム原版が、反射型の体積型ホログラムとして構成される場合には、参照光および物体光を前記ホログラム原版用ホログラム記録材料に入射させる工程において、前記ホログラム原版用ホログラム記録材料の一方の面の側から当該ホログラム記録材料へ参照光を入射させ、当該参照光が、前記ホログラム原版用ホログラム記録材料を透過した後、前記ホログラム原版用ホログラム記録材料の他方の面の側に配置された反射型体積ホログラムからなるホログラフィック散乱板へそのブラッグ条件を満たすように入射し、前記ホログラフィック散乱板からの回折光が物体光として前記ホログラム原版用ホログラム記録材料に前記他方の面の側から入射するようにしてもよい。あるいは、ホログラム原版が、透過型の体積型ホログラムとして構成される場合には、参照光および物体光を前記ホログラム原版用ホログラム記録材料に入射させる工程において、前記ホログラム原版用ホログラム記録材料の一方の面の側に配置された透過型体積ホログラムからなるホログラフィック散乱板へそのブラッグ条件を満たすように光を入射させ、当該光のうちの、前記ホログラフィック散乱板からの回折光が物体光として、並びに、当該光のうちの前記ホログラフィック散乱板からの０次光が参照光として、それぞれ、前記ホログラム原版用ホログラム記録材料に前記一方の面の側から入射するようにしてもよい。
【００１６】
さらに、本発明による体積型ホログラムの製造方法において、前記第１物体光は、前記第１干渉縞がそのブラッグ条件を満たす入射光を回折することによって三次元像が再生されるように、構成されていてもよい。
【００１７】
さらに、本発明による体積型ホログラムの製造方法において、第２物体光は平行光束であるようにしてもよい。あるいは、前記第２物体光は、前記第２干渉縞がそのブラッグ条件を満たす入射光を回折することによって体積型ホログラムの表面と平行な面上に位置する二次元パターンが再生されるように、構成されていてもよい。より好ましくは、前記第２物体光は、記録された前記第２干渉縞がそのブラッグ条件を満たす入射光を回折することによって体積型ホログラムの表面上に位置する二次元パターンが再生されるように、構成されていてもよい。
【００１８】
さらに、本発明による体積型ホログラムの製造方法において、
前記第１物体光は、前記第１干渉縞がそのブラッグ条件を満たす入射光を回折することによって体積型ホログラムの表面と平行な面上に位置する二次元パターンが再生されるように、構成され、
前記第２物体光は、前記第２干渉縞がそのブラッグ条件を満たす入射光を回折することによって体積型ホログラムの表面と平行な面上に位置する二次元パターンが再生されるように、構成されおり、
前記第１方向からの前記第１波長の光を前記第１干渉縞で回折することによって再生される前記二次元パターンの位置と、前記第１方向からの前記第２波長の光を前記第２干渉縞で回折することによって再生される前記二次元パターンの位置とが、体積型ホログラムの表面への法線方向にずれるように、前記第１物体光および前記第２物体光が構成されていてもよい。
【００１９】
さらに、本発明による体積型ホログラムの製造方法において、前記二次元パターンは、文字、数字、記号および模様からなる群より選択される一以上であり、前記二次元パターンを構成する一つの文字、数字、記号または模様は、７２μｍ四方の領域内に入る大きさとなっていてもよい。
【００２０】
本発明による第１の体積型ホログラムは、
第１方向から入射する第１波長の光を回折する第１干渉縞と、
前記第１方向から入射する第１波長とは異なる第２波長の光を回折する第２干渉縞と、を備える体積型ホログラムであって、
前記第１干渉縞は、前記第１方向からの前記第１波長の光を回折して、三次元象を再生し、
前記第２干渉縞は、前記第１方向からの前記第２波長の平行光束を、平行光束からなる再生光として、回折し、
少なくとも前記第１方向からの前記第２波長の平行光束を前記第２干渉縞で回折してなる平行光束としての再生光が観察される方向から、前記第１方向からの前記第１波長の光を前記第1干渉縞で回折することによって再生される前記三次元像が観察され得るように、前記第１干渉縞は当該三次元像を再生する。
【００２１】
本発明による第２の体積型ホログラムは、
第１方向から入射する第１波長の光を回折する第１干渉縞と、
前記第１方向から入射する第１波長とは異なる第２波長の光を回折する第２干渉縞と、を備える体積型ホログラムであって、
前記第１干渉縞は、前記第１方向からの前記第１波長の光を回折して、三次元象を再生し、
前記第２干渉縞は、前記第１方向からの前記第２波長の光を回折して、体積型ホログラムの表面と平行な面上に位置する二次元パターンを再生し、
少なくとも前記第１方向からの前記第２波長の光を前記第２干渉縞で回折することによって再生される前記二次元パターンが観察される方向から、前記第１方向からの前記第１波長の光を前記第１干渉縞で回折することによって再生される前記三次元像が観察され得るように、前記第１干渉縞は当該三次元像を再生する。
【００２２】
本発明による第３の体積型ホログラムは、
第１方向から入射する第１波長の光を回折する第１干渉縞と、
前記第１方向から入射する第１波長とは異なる第２波長の光を回折する第２干渉縞と、を備える体積型ホログラムであって、
前記第１干渉縞は、前記第１方向からの前記第１波長の光を回折して、体積型ホログラムの表面と平行な面上に位置する第１の二次元パターンを再生し、
前記第２干渉縞は、前記第１方向からの前記第２波長の光を回折して、体積型ホログラムの前記表面と平行な面上に位置する第２の二次元パターンを再生し、
前記第１方向からの前記第１波長の光を前記第１干渉縞で回折することによって再生される前記第１の二次元パターンと、前記第１方向からの前記第２波長の光を前記第２干渉縞で回折することによって再生される前記第２の二次元パターンとが、同一の方向から観察され、且つ、体積型ホログラムの表面への法線方向に沿って互いにずれた位置に観察されるように、前記第１干渉縞および前記第２干渉縞は前記二次元像を再生する。
【００２３】
本発明による第１〜第３の体積型ホログラムのいずれかにおいて、
前記二次元パターンは、文字、数字、記号および模様からなる群より選択される一以上であり、
前記二次元パターンを構成する一つの文字、数字、記号または模様は、７２μｍ四方の領域内に入る大きさとなっていてもよい。
【００２４】
また、本発明による第１〜第３の体積型ホログラムのいずれかにおいて、前記二次元パターンが体積型ホログラムの前記表面上に位置するように、前記第２干渉縞は前記二次元パターンを再生してもよい。
【発明の効果】
【００２５】
本発明によれば、コンタクトコピーによる偽造に対し高い耐性をホログラムに付与することができる。
【図面の簡単な説明】
【００２６】
【図１】図１は、本発明の一実施の形態における体積型ホログラムおよびその回折作用を説明するための図である。
【図２】図２は、図１に示す体積型ホログラムで再生される像を説明するための図である。
【図３】図３は、図１および図２に示す体積型ホログラムの第１干渉縞による光学的作用を説明するための図である。
【図４】図４は、図１および図２に示す体積型ホログラムの第２干渉縞による光学的作用を説明するための図である。
【図５】図５は、ホログラムの製造方法の一例を説明するための図であって、図１および図２に示す体積型ホログラムの第１干渉縞および第２干渉縞を並行して記録する方法を説明するための図である。
【図６】図６は、図５に示された第１干渉縞の記録に使用される第１ホログラム原版の作製方法を説明するための図である。
【図７】図７は、図５に示された第２干渉縞の記録に使用される第２ホログラム原版の作製方法を説明するための図である。
【図８】図８は、図７に示された作製中の第２ホログラム原版およびマスクを示す正面図である。
【図９】図９は、図５に示された第２干渉縞の記録に使用される第２ホログラム原版の作製方法を説明するための図である。
【図１０】図１０は、ホログラムの製造方法の一変形例を説明するための図であって、図１および図２に示す体積型ホログラムの第１干渉縞を記録する方法を説明するための図である。
【図１１】図１１は、ホログラムの製造方法の一変形例を図１０とともに説明するための図であって、図１および図２に示す体積型ホログラムの第２干渉縞を記録する方法を説明するための図である。
【図１２】図１２は、二つのレーザ光源から発生されるレーザ光の干渉の有無を調査した光学系を示す図である。
【図１３】図１３は、マッハツェンダー干渉法で干渉の有無を調査した他の光学系を示す図である。
【図１４】図１４は、図１２の光学系でスクリーンに投影された光の像を示す図である。
【図１５】図１５は、図１３の光学系でスクリーンに投影された光の像を示す図である。
【発明を実施するための形態】
【００２７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２８】
図１〜図９は、本発明の一実施の形態における体積型ホログラムおよび体積型ホログラムの製造方法を説明するための図である。このうち、図1〜図４は、主として、体積型ホログラムおよびその作用を説明するための図であり、図５〜図９は、主として、体積型ホログラムの製造方法を説明するための図である。
【００２９】
以下に説明する体積型ホログラム（単に、ホログラムとも呼ぶ）１０は、同一方向から入射する互いに異なる波長の光Ｌ１ａ，Ｌ１ｂ、すなわち同一方向から入射する互いに異なる色の光Ｌ１ａ，Ｌ１ｂを、それぞれ、回折する反射型ホログラム（リップマンホログラム）として構成されている。反射型の体積型ホログラムは干渉縞を記録されており、この干渉縞の間隔、入射光の波長および入射角度に関するブラッグの反射条件（ブラッグ条件）が満たされた場合、当該入射光を高い回折効率で回折（反射）するようになる。そして、以下に説明するホログラム１０は、このような入射光に対する波長選択性および角度選択性によって、当該ホログラムが貼付された物品の意匠性を向上させることや、物品の真正性を標示することが可能であり、物品、とりわけ、包装材料、カード、証明書、有価証券、商品券等に貼付されて使用され得る。
【００３０】
なお、以下において、干渉縞の数に言及することがあるが、本明細書において、干渉縞の数とは、概ね規則的に構成されたパターンの数のことであって、パターンを構成する要素の数のことではない。例えば、概ね平行に延びる複数の筋（立体的に捉えると、複数の面）からなる筋群（立体的に捉えると、面群）によって干渉縞が構成される場合には、干渉縞の数とは、筋群の数を指し、筋群に含まれる筋の数を指すものではない。
【００３１】
図３および図４に示すように、ホログラム１０は、第１方向ｄ１からホログラム１０へ入射する第１波長の光Ｌ１ａを高い回折効率で回折する第１干渉縞１１ａ（図３参照）と、第１方向ｄ１から入射する第１波長とは異なる第２波長の光Ｌ１ｂを高い回折効率で回折する第２干渉縞１１ｂ（図４参照）と、を有している。すなわち、図３に示すように、第１方向ｄ１からホログラム１０へ入射する第１波長の光Ｌ１ａは、第１干渉縞１１ａのブラッグの反射条件を満たすようになり、同様に、図４に示すように、第１方向ｄ１からホログラム１０へ入射する第２波長の光Ｌ１ｂは、第２干渉縞１１ｂのブラッグの反射条件を満たすようになる。
【００３２】
ここで、ブラッグの反射条件が満たされるとは、次の式（１）が満たされることに相当する。
２×ｄ×ｓｉｎθ＝λ  ・・・  式（１）
式（１）中のｄは、光の進行方向と、当該光が入射する領域において干渉縞を構成する各筋状模様（各面状模様）への法線方向と、の両方に平行な断面での、干渉縞を構成する各筋（各面）の間隔（濃淡の筋のピッチ）である。また、式（１）中のθは、前記断面において、光の入射方向（または光の干渉縞での回折方向）が干渉縞をなす各筋が延びる方向に対してなす角度である。さらに、式（１）中のλは、干渉縞への入射光の波長である。
【００３３】
本実施の形態では、第１方向ｄ１からホログラム１０へ入射する第１波長の光Ｌ１ａが、第１干渉縞１１ａのブラッグ条件を満たすことから、次の式（２）が満たされる。同様に、第１方向ｄ１からホログラム１０へ入射する第２波長の光Ｌ１ｂが、第２干渉縞１１ｂのブラッグ条件を満たすことから、次の式（３）が満たされる。
２×ｄａ×ｓｉｎθａ＝λａ  ・・・  式（２）
２×ｄｂ×ｓｉｎθｂ＝λｂ  ・・・  式（３）
式（２）および（３）におけるｄａおよびｄｂは、式（１）におけるｄに相当するものであり、各干渉縞の間隔である。また、式（２）および（３）におけるθａおよびθｂは、式（１）におけるθに相当するものであり、各干渉縞へ入射する光（または各干渉縞で回折された光）の進行方向が各干渉縞の延びる方向に対してなす角度である。さらに、式（２）および（３）におけるλａおよびλｂは、式（１）におけるλに相当するものであり、各干渉縞へ入射する光の波長である。
【００３４】
なお、ブラッグ反射条件を示す式（１）は、入射光の波長λに対して適宜入射光の入射角度θが調節されることによって、あるいは、入射光の入射角度θに対して適宜入射光の波長λが設定されることによって、満たされるようになる。すなわち、ある体積型ホログラムの干渉縞によって高効率の回折効率で回折されるようになるのは、所定の特定波長の光が所定の特定入射角度でホログラムへ入射する場合だけではない。例えば、図４に示すように、第１波長の光Ｌ２ｂも、第１方向ｄ１とは異なる第２方向ｄ２からホログラム１０へ入射した場合に次の式（４）が満たされるようになり、つまりブラッグ条件が満たされるようになり、第２干渉縞１１ｂで高い回折効率で回折されるようになる。
２×ｄｂ×ｓｉｎθｂ’＝λａ  ・・・  式（４）
この際、図４に示すように、第１方向ｄ１からの第２波長の光Ｌ１ｂが第２干渉縞１１ｂで第３方向ｄ３に回折されていたとすると、第２方向ｄ２からの第１波長の光Ｌ２ｂは、第２干渉縞１１ｂで、第３方向ｄ３とは異なる方向（第４方向ｄ４）に回折されるようになる。なお、式（４）におけるθｂ’は、式（１）におけるθに相当するものであり、第２干渉縞１１ｂへ入射する光Ｌ２ｂが第２干渉縞１１ｂの延びる方向に対してなす角度である。
【００３５】
図１および図２に戻って、第１方向ｄ１に沿ってホログラム１０の第１面１０ａへ入射する第１波長の再生照明光Ｌ１ａが第１干渉縞１１ａで回折されてなる第１再生光Ｌ３ａは、ホログラム１０の第１面１０ａの側から観察され得る第１像１２ａを再生する。本実施の形態において、第１像１２ａは三次元像として構成されている。
【００３６】
一方、第１方向ｄ１に沿ってホログラム１０の第１面１０ａへ入射する第２波長の再生照明光Ｌ１ｂが第２干渉縞１１ｂで回折されてなる第２再生光Ｌ３ｂは、ホログラム１０の第１面１０ａの側から観察され得る第２像１２ｂを再生する。第２像１２ｂは、二次元パターンとして構成されている。ここで二次元パターンとは、平面状のパターンのことであり、例えば、文字、数字、記号および模様からなる群より選択される一以上を配列して構成され得る。ただし、ここでいう平面状の二次元パターンとは、ホログラム１０の表面上に位置する、例えば、ホログラム１０の表面上に記載または貼付されているかのように観察されるパターンだけでなく、ホログラム１０の表面から浮き上がった位置や、ホログラム１０の表面から潜り込んだ位置に観察される、平面状のパターンも含まれる。したがって、ここでいう二次元パターンには、三次元空間内に再生される平面状のパターンも含まれている。
【００３７】
本実施の形態において、第２像１２ｂをなす二次元パターンは、ホログラム１０の表面と平行な面上に再生される。とりわけ図示する例において、第２干渉縞１１ｂで再生される第２像１２ｂとしての二次元パターンは、「ＧＥＮＵＩＮＥ」との文字列で形成されており、ホログラム１０の表面上に位置しており、ホログラム１０の表面上に形成された文字列として観察される。
【００３８】
なお、ここでいう「ホログラムの表面上に位置する（形成される）」とは、二次元パターンが厳密な意味でホログラムの表面上に正確に位置している場合だけでなく、以下のように二次元パターンが厳密な意味でホログラムの表面上に位置している場合の光学的作用と同様の光学的作用が、目視での判断において、得られ得る範囲内であれば、二次元パターンがホログラムの表面上からわずかにずれている場合も含まれることとする。
【００３９】
すなわち、ホログラム１０を白色光下に置くと、ブラッグ反射条件を満たす限りにおいて、異なる色で異なる方向に第２像１２ｂが再生されるようになる。この結果、第２像１２ｂは、ホログラム１０の表面と平行な方向（すなわち、平面方向）にずれた位置に、異なる色で再生されるようになり、この異なる色で再生される像の平面方向での位置ずれに起因して、像の輪郭がぼやけて視認されるようにもなる。そして、異なる色の像の間での平面方向での位置ずれ量は、当該像の再生位置がホログラム１０の表面上の位置から遠く離れるにしたがって、増していく。また、奥行きを持った立体物が再生される場合には、像のぼやけが顕著に現れる。その一方で、このように像がぼやけて観察される現象は、第２像１２ｂが、二次元パターンの場合に緩和され、とりわけホログラム１０の表面近傍に再生される場合に実質的に視認されなくなる。そして、ここでは、二次元パターンの輪郭がぼやけることなく明瞭に第２像１２ｂが再生され得る程度であれば、ホログラム１０の表面上に位置していると解釈することにする。
【００４０】
ところで、図１に示すように、本実施の形態において、第２像１２ｂを構成する二次元パターンは、当該パターンをなす部分（例えば、文字列の部分）だけが、あるいは、当該パターンをなさない部分だけが、ホログラフィック散乱板として機能することにより、像を形成して観察者に観察され得るようになっている。ここでホログラフィック散乱板とは、ホログラム（ホログラフィック光学素子）の一種であり、そのブラッグ条件を満たす入射光を散乱させて、主として透過または反射させる光学素子である。本実施の形態においては、第２像１２ａをなす再生光Ｌ３ｂは、主として、第３方向ｄ３に進む散乱光となる。
【００４１】
しかしながら、この例に限られず、第２像１２ｂを構成する二次元パターンが、当該パターンをなす部分（例えば、文字列の部分）だけが、あるいは、当該パターンをなさない部分だけが、ホログラフィックミラーとして機能することにより、像を形成して観察者に観察され得るようになっていてもよい。ここでホログラフィックミラーとは、ホログラム（ホログラフィック光学素子）の一種であり、そのブラッグ条件を満たす入射光を、散乱させることなく反射させる光学素子である。したがって、この例では、或る特定波長の光束がホログラム１０へ第２干渉縞１１ｂのブラッグ反射条件を満たすように入射した場合、第２干渉縞１１ｂで回折されて第２像１２ｂを形成する第２再生光Ｌ３ｂは、平行光束となる。
【００４２】
加えて、第１像１２ａおよび第２像１２ｂをなす二次元パターンの全部または一部が、７２μｍ四方の領域内に収まる大きさで配置された文字、数字、記号または模様によって、構成されていてもよい。ヒトが裸眼で物体を観察する場合、ぼけずにはっきりと見ることができる位置（近点）は、標準的には、眼から２５０ｍｍ離れた位置であると考えられており、加えてヒトの眼の分解能は角度にして約１分（約１／６０°）である（John.E. Greivenkamp著「フィールドガイド  幾何光学」の第４５頁参照）。この結果、近点における最小分解能は、７２．７μｍ程度となる。このため、二次元パターンを構成する文字、数字、記号または模様の一つ当たりの大きさ、幅および高さが７２μｍ以下となっている場合、標準的には、ヒトが裸眼によって文字、数字、記号または模様を識別することができない。すなわち、このようなサイズの二次元パターンの文字、数字、記号または模様を識別するためには、拡大鏡を用いる等、何らかの手段を講じることが必要となってくる。したがって、このような二次元パターンからなる第１像１２ａおよび第２像１２ｂによれば、ホログラム１０に高い識別性を付与し、ホログラム１０を真正性標示体として極めて有効に機能させることができる。
【００４３】
また、本実施の形態において、第１方向ｄ１からの第２波長の光Ｌ１ｂを第２干渉縞１２ｂで回折することによって再生される二次元パターン（第２像１２ｂ）が観察される方向から、第１方向ｄ１からの第１波長の光Ｌ１ａを第１干渉縞１１ａで回折することによって再生される三次元像（第１像１２ａ）が観察され得るように、第１干渉縞１１ａは当該三次元像を再生する。すなわち、少なくとも第１方向ｄ１からの第２波長の光Ｌ１ｂが第２干渉縞１１ｂによって主として回折される第３方向ｄ３に、第１方向ｄ１からの第１波長の光Ｌ１ａが第１干渉縞１１ａによって回折される。第１方向ｄ１からの第１波長の光Ｌ１ａを第１干渉縞１１ａで回折することによって再生される三次元像（第１像１２ａ）は、いわゆる視域を有し、或る程度の角度範囲内の方向から観察され得る。そして、第１像１２ａが観察され得る視域内の一方向に、第１方向ｄ１からの第２波長の光Ｌ１ｂが第２干渉縞１２ｂによって主として回折されるようになっている。
【００４４】
以上のような本実施の形態による体積型ホログラム１０によれば、同一方向からのホログラム１０への入射光Ｌ１ａ，Ｌ１ｂが、第１干渉縞１１ａで回折されることによって三次元像（第１像１２ａ）が再生されるとともに、第２干渉縞１１ｂで回折されることによって前記三次元像（第１像１２ａ）とは異なる色で二次元パターン（第２像１２ｂ）が再生されるようになる。しかも、第１干渉縞１１ａでの回折によって三次元像（第１像１２ａ）が観察されるようになる方向と、第２干渉縞１１ｂでの回折によって二次元パターン（第２像１２ｂ）が観察されるようになる方向と、は少なくとも部分的に一致している。すなわち、例えば白色光が所定の入射角度でホログラム１０へ入射した場合、三次元像（第１像１２ａ）および二次元パターン（第２像１２ｂ）が互いに異なる色で同時に観察されるようになる。
【００４５】
そして、このホログラム１０は、互いに異なる色で観察される三次元像（第１像１２ａ）および二次元パターン（第２像１２ｂ）によって、優れた意匠性と高い識別性とを兼ね備えている。したがって、このホログラム１０は、真贋判定が容易であり、真正性標示体として極めて有効に機能することができる。
【００４６】
次に、主として図５〜図９を参照しながら、以上のようなホログラム１０を製造する方法の一例について説明する。以下の製造方法によれば、説明してきた本実施の形態による体積型ホログラム１０を安価且つ容易に作製することが可能となる。
【００４７】
なお、体積型ホログラム１０は、ホログラム記録材料２０から形成されるようになる。このため、ホログラム記録材料２０が対応する位置関係でホログラム１０と同様に配置された状態にあるものとして、ホログラム１０に対して用いた方向を用いて、ホログラム記録材料２０に対する方向も特定していく。さらに、ホログラム記録材料２０に積層される後述のフィルム状部材（例えば、ホログラム原版３０，４０、積層原版２５、ホログラム原版用のホログラム記録材料３５，４５）に対しても、当該フィルム状部材がホログラム記録材料２０に積層された状態にあるものとして、ホログラム１０およびホログラム記録材料２０に対して用いた方向を用いて、方向を特定していく。
【００４８】
以下に説明するホログラムの製造方法は、ホログラム記録材料２０の一方の面（第２面）２０ｂへ第１参照光Ｌ１ｒを入射させるとともに、当該ホログラム記録材料２０の他方の面（第１面）２０ａへ第１波長の第１物体光Ｌ３ｏを入射させて、第１参照光Ｌ１ｒと第１物体光Ｌ３ｏとが干渉してなる光の干渉縞を生じさせて第１干渉縞（第１干渉パターン）１１ａをホログラム記録材料２０に記録する工程と、ホログラム記録材料２０の一方の面２０ｂへ第２参照光Ｌ２ｒを入射させるとともに、当該ホログラム記録材料２０の他方の面２０ａへ第２物体光Ｌ４ｏを入射させ、第２参照光Ｌ２ｒと第２物体光Ｌ４ｏとが干渉してなる光の干渉縞を生じさせて第２干渉縞（第２干渉パターン）１１ｂをホログラム記録材料２０に記録する工程と、を主として含んでいる。
【００４９】
とりわけ、以下のホログラム製造方法においては、第１参照光Ｌ１ｒおよび第１物体光Ｌ３ｏの波長と、第２参照光Ｌ２ｒおよび第２物体光Ｌ４ｏの波長と、が互いに同一になっていることを特徴としている。
【００５０】
また、以下のホログラム製造方法においては、第１干渉縞１１ａを記録する工程と、第２干渉縞１１ｂを記録する工程は、少なくとも部分的に並行して実施され、具体的には、第１干渉縞１１ａを記録するための露光（第１参照光Ｌ１ｒおよび第１物体光Ｌ３ｏの露光）と、第２干渉縞１１ｂを記録するための露光（第２参照光Ｌ２ｒおよび第２物体光Ｌ４ｏの露光）とが、少なくとも一時期並行して行われる。
【００５１】
まず、第１の光の干渉縞を生じさせて第１干渉縞（第１干渉パターン）１１ａをホログラム記録材料２０に記録する際の露光について説明する。
【００５２】
なお、干渉縞１１ａ，１１ｂが記録されてホログラム１０をなすようになるホログラム記録材料２０としては、例えば、フォトポリマー、銀塩乳剤、重クロム酸ゼラチン、フォトレジスト等を用いることができる。
【００５３】
第１干渉縞１１ａを記録する工程において、ホログラム１０をなすようになるホログラム記録材料２０に露光される第１参照光Ｌ１ｒおよび第１物体光Ｌ３ｏの波長は、図３に示された第１再生照明光Ｌ１ａおよび第１再生光Ｌ３ａと同一の第１波長である。したがって、図５に示すように、第１参照光Ｌ１ｒは、第１方向ｄ１に沿って第１再生照明光Ｌ１ａとは逆向きに進んでホログラム記録材料２０へ一方の面２０ｂの側から入射する。また、第１物体光Ｌ３ｏは、第３方向ｄ３を中心とする方向から第１再生光Ｌ３ａとは逆向きに進んでホログラム記録材料２０へ他方の面２０ａの側から入射する。
【００５４】
なお、ホログラム記録材料２０の他方の面（第１面）２０ａが、ホログラム１０の上述した第１面１０ａをなすようになり、ホログラム記録材料２０の一方の面（第２面）２０ｂが、ホログラム１０の第１面１０ａとは逆側の第２面１０ｂをなすようになる。
【００５５】
次に、第２の光の干渉縞を生じさせて第２干渉縞（第２干渉パターン）１１ｂをホログラム記録材料２０に記録する際の露光について説明する。ホログラム記録材料２０に露光される第２参照光Ｌ２ｒおよび第２物体光Ｌ４ｏの波長は、第２再生照明光Ｌ１ｂおよび第２再生光Ｌ３ｂの波長（第２波長）とは異なり、第１再生照明光Ｌ１ａおよび第１再生光Ｌ３ａと同一の波長（第１波長）である。図４を参照しながら説明したように、第２干渉縞１１ｂは、第１方向ｄ１からホログラム１０の第１面１０ａに入射する第２波長の光Ｌ１ｂを高い回折効率で第３方向ｄ３を中心とした方向に散乱反射する。また、図４によく示されているように、第２干渉縞１１ｂは、第２方向ｄ２からホログラム１０の第１面１０ａに入射する第１波長の光Ｌ２ｂも高い回折効率で第４方向ｄ４を中心とした方向に散乱反射する。したがって、第１波長の第２参照光Ｌ２ｒおよび第２物体光Ｌ４ｏを用いて、第２干渉縞１１ｂをホログラム記録材料２０の記録することができる。
【００５６】
具体的には、図５に示すように、第２参照光Ｌ２ｒは、第２方向ｄ２に沿って第２再生照明光Ｌ２ｂとは逆向きに進んでホログラム記録材料２０へ一方の面２０ｂの側から入射する。また、第２物体光Ｌ４ｏは、第４方向ｄ４を中心とする方向から第２再生光Ｌ４ｂとは逆向きに進んでホログラム記録材料２０へ他方の面２０ａの側から入射する。
【００５７】
また、ここで説明する製造方法においては、図５に示されているように、三次元像からなる第１像１２ａを再生するための物体光Ｌ３ｏは、反射型体積ホログラムからなる第１ホログラム原版３０を再生することによって得られる。同様に、二次元パターンからなる第２像１２ｂを再生するための第２物体光Ｌ４ｏは、反射型体積ホログラムからなる第２ホログラム原版４０を再生することによって得られる。
【００５８】
具体的には、図５に示すように、第１物体光Ｌ３ｏを発生させる第１ホログラム原版３０および第２物体光Ｌ４ｏを発生させる第２ホログラム原版４０を積層してなる積層原版２５が、ホログラム記録材料２０の第１面２０ａの側に積層される。これにより、ホログラム記録材料２０の第１面２０ａの側から順に、第２ホログラム原版４０および第１ホログラム原版３０が、ホログラム記録材料２０に積層される。この状態で、第１波長の第１参照光Ｌ１ｒが、第１方向ｄ１に沿ったコヒーレントな光、典型的にはレーザ光からなる平行光束として、ホログラム記録材料２０に第２面２０ｂの側から照射される。第１参照光Ｌ１ｒの照射と並行して、第１波長の第２参照光Ｌ２ｒが、第２方向ｄ２に沿ったコヒーレントな光、典型的にはレーザ光からなる平行光束として、ホログラム記録材料２０に第２面２０ｂの側から照射される。
【００５９】
第１参照光Ｌ１ｒは、ホログラム記録材料２０および第２ホログラム原版４０を透過した後、第１ホログラム原版３０のブラッグ条件を満たすようにして、第１ホログラム原版３０へ入射する。すなわち、第１参照光Ｌ１ｒは再生照明光として第１ホログラム原版３０へ入射し、第１ホログラム原版３０で回折される。これにより、第１ホログラム原版３０によって三次元像が再生され、この三次元像をなす回折光が、第２ホログラム原版４０を透過した後に、第１物体光Ｌ３ｏとして、ホログラム記録材料２０へ他方の面２０ａから入射する。
【００６０】
この結果、ホログラム記録材料２０内において、第１参照光Ｌ１ｒと第１物体光Ｌ３ｏが干渉し、明暗の縞からなる光の干渉縞が形成される。感光性を有したホログラム記録材料２０は、この明暗の縞に対応して反応する。この結果、ホログラム記録材料２０内に、この明暗の縞に対応したパターンの第１干渉縞１１ａが記録され、回折機能が付与される。一例として、ホログラム記録材料２０がフォトポリマーからなる場合には、屈折率変調パターンとして第１干渉縞１１ａが記録される。
【００６１】
一方、第２参照光Ｌ２ｒは、ホログラム記録材料２０を透過した後、第２ホログラム原版４０のブラッグ条件を満たすようにして、第２ホログラム原版４０へ入射する。すなわち、第２参照光Ｌ２ｒは再生照明光として第２ホログラム原版４０へ入射し、第２ホログラム原版４０で回折される。これにより、第２ホログラム原版４０によって二次元文字列パターンが再生される。この二次元文字列パターンをなす回折光が、第２物体光Ｌ４ｏとして、ホログラム記録材料２０へ他方の面２０ａから入射する。この結果、ホログラム記録材料２０内において、第２参照光Ｌ２ｒと第２物体光Ｌ４ｏが干渉し、明暗の縞からなる光の干渉縞が形成される。感光性を有したホログラム記録材料２０は、この明暗の縞に対応して反応する。この結果、ホログラム記録材料２０内に、この明暗の縞に対応したパターンの第２干渉縞１１ｂが記録され、回折機能が付与される。
【００６２】
なお、ホログラム記録材料２０に干渉縞１１ａ，１１ｂを記録するためのコヒーレントな光（本例では、第１参照光Ｌ１ｒおよび第２参照光Ｌ２ｒ）として、ヘリウム−ネオンレーザー、アルゴンイオンレーザー、クリプトンイオンレーザー、ネオジウムヤグレーザー等のレーザ光源から発振される光を用いることができる。
【００６３】
ところで、図５に示すように、積層原版２５のホログラム記録材料２０に面していない側の面上には、遮光層２７が設けられている。これにより、積層原版２５のホログラム記録材料２０に面していない側の面で、参照光Ｌ１ｒ，Ｌ２ｒが反射すること、並びに、環境光がホログラム記録材料２０へ第１面２０ａ側から入射することが効果的に抑制される。この結果、迷光等に起因した、ホログラム記録材料２０の意図しない感光、これにともなって、意図しない干渉縞の記録が効果的に防止される。
【００６４】
加えて、迷光等の発生を防止する観点からは、積層原版２５とホログラム記録材料２０との間、積層原版２５と遮光層２７との間、および、積層原版２５の第１ホログラム記録原版３０と第２ホログラム記録原版４０との間の一以上に、インデックスマッチング液からなるインデックスマッチング層が設けられてよい。インデックスマッチング層によれば、隣接する層間での急激な屈折率変化に起因した反射を効果的に防止することができるとともに、急激な屈折率変化の原因となる空気層が隣接する層間に形成されてしまうことも効果的に防止することができる。
【００６５】
ここで、三次元像を再生する反射型体積ホログラムからなる第１ホログラム原版３０並びに二次元パターンを再生する反射型体積ホログラムからなる第２ホログラム原版４０を、それぞれ、作製する方法の一例を説明しておく。
【００６６】
まず、第１ホログラム原版３０は次のようにして作製され得る。図６に示すように、第１干渉縞１１ａによって再生されるべき三次元像からなる第１像１２ａの形状（図示する例では、顔型）に基づいて作製された模型３２を、第１ホログラム原版用ホログラム記録材料３５を基準とした所定の位置に配置する。
【００６７】
図６に示すように、この状態で、第１波長のコヒーレントな光、典型的にはレーザ光源から発振された第１波長のレーザ光を、参照光Ｌ６１および物体光Ｌ６２として、第１ホログラム原版用のホログラム記録材料３５に入射させる。このうち参照光Ｌ６１は、平行光として、第１方向ｄ１に沿って、第１面（他方の面）３５ａの側から、第１ホログラム原版用ホログラム記録材料３５に入射する。一方、物体光Ｌ６２は、模型３２からの反射光として、第２面（一方の面）３５ｂの側から、第１ホログラム原版用ホログラム記録材料３５に入射する。この際、物体光Ｌ６２は、上述した第３方向ｄ３を中心とした角度域に広がる拡散光として、第１ホログラム原版用ホログラム記録材料３５に入射する。この結果、第１ホログラム原版用ホログラム記録材料３５が参照光Ｌ６１および物体光Ｌ６２によって露光され、第１像１２ａと同様の像を再生し得る干渉縞が記録される。干渉縞が記録された第１ホログラム原版用ホログラム記録材料３５に適当な後処理を施すことによって、上述した第１ホログラム原版３０が得られる。
【００６８】
なお、上記説明における第１ホログラム原版用ホログラム記録材料３５の第１面３５ａが、第１ホログラム原版３０の遮光層２７に対面する側の面をなすようになり、第１ホログラム原版用ホログラム記録材料３５の第２面３５ｂが、第１ホログラム原版３０のホログラム記録材料２０に対面する側の面をなすようになる。
【００６９】
次に、第２ホログラム原版４０は以下のようにして作製され得る。まず、図７および図８に示すように、第２ホログラム原版４０用のホログラム記録材料４５上に、二次元パターンと同一パターンで露光光を遮光することができる遮光マスク４８を配置する。次に、図７に示すように、第２ホログラム原版用ホログラム記録材料４５を、遮光マスク４８が配置された側から、露光する。これによって、遮光マスク４８で覆われていない領域が、不感化処理（失活処理）を施され、感光性を失う。なお、この不感化処理での露光に用いられる光Ｌ７２としては、特にその波長を限定されることなく、例えば紫外線を用いることができる。紫外線を用いた場合、短時間でより確実に不感化処理を行うことができる。
【００７０】
その後、第２方向ｄ２からの第１波長の光を、第４方向ｄ４を中心とした方向に、散乱反射するように構成されたホログラフィック散乱板４９を用意する。次に、図９に示すように、用意されたホログラフィック散乱板４９を、第２ホログラム原版用ホログラム記録材料４５に一方の面（第２面）４５ｂの側から積層する。この状態で、第２ホログラム原版用ホログラム記録材料４５へ他方の面（第１面）４５ａの側から第１波長の参照光Ｌ９１を入射させる。参照光Ｌ９１は、第２方向ｄ２に沿ったコヒーレントな光、典型的にはレーザ光からなる平行光束として、第２ホログラム原版用ホログラム記録材料４５に照射される。そして、第２ホログラム原版用ホログラム記録材料４５を透過した参照光Ｌ９１が、ホログラフィック散乱板４９のブラッグ条件を満たすようにして、ホログラフィック散乱板４９へ入射する。これにより、参照光Ｌ９１は再生照明光としてホログラフィック散乱板４９へ入射してホログラフィック散乱板４９で回折され、参照光Ｌ９１がホログラフィック散乱板４９で回折されてなる散乱反射光が、物体光Ｌ９２として、第２ホログラム原版用ホログラム記録材料４５に一方の面４５ｂの側から入射する。この際、物体光Ｌ９２である散乱反射光は、上述した第４方向ｄ４を中心とした角度域に広がる散乱光として、第２ホログラム原版用ホログラム記録材料４５に入射する。この結果、第２ホログラム原版用ホログラム記録材料４５のうちの感光性を有している文字列パターンの領域が、参照光Ｌ９１および物体光Ｌ９２によって露光され、第２像１２ｂと同様の二次元文字列パターンを再生し得る干渉縞が記録される。そして、この第２ホログラム原版用ホログラム記録材料４５に適当な後処理を施すことによって、上述した第２ホログラム原版４０が得られる。
【００７１】
なお、上記説明における第２ホログラム原版用ホログラム記録材料４５の一方の面４５ｂが、第２ホログラム原版４０のホログラム記録材料２０に対面する側の面をなすようになり、第２ホログラム原版用ホログラム記録材料４５の他方の面４５ａが、第２ホログラム原版４０の遮光層４７に対面する側の面をなすようになる。
【００７２】
また、第１ホログラム原版３０および第２ホログラム原版４０をそれぞれ作製するために用いられる各ホログラム記録材料３５，４５や露光用の光としては、上述したホログラム１０作製用のホログラム記録材料２０やホログラム１０作製用のレーザ光源から発振されるレーザ光を用いることができる。また、各干渉縞１１ａ，１１ｂを記録する場合と同様の目的から、各ホログラフィック散乱板３９，４９の各ホログラム原版用ホログラム記録材料３５，４５とは逆側の面に遮光層を設けてもよいし、各ホログラフィック散乱板３９，４９と各ホログラム原版用ホログラム記録材料３５，４５や各遮光層との間にインデックスマッチング層を設けてもよい。
【００７３】
以上のようにして、第１干渉縞１１ａおよび第２干渉縞１１ｂをホログラム記録材料２０に記録することができる。このようなホログラムの製造方法では、同時露光によって、第１干渉縞１１ａおよび第２干渉縞１１ｂが同一のタイミングで形成されている。このような方法によって、第１干渉縞１１ａおよび第２干渉縞１１ｂが並行してホログラム記録材料２０に記録されていけば、ホログラム１０を短時間で作製することができ、生産性の観点から好ましい。また、煩雑な作業を伴う光学系の準備を、複数回行う必要がない。さらに、各露光光（図示する例では、第１参照光Ｌ１ｒおよび第２参照光Ｌ２ｒ）の光量を調節するといった簡易な操作により、各干渉縞１１ａ，１１ｂでの回折効率を調節することができる。すなわち、所望の光学特性を有する干渉縞１１ａ，１１ｂが精度良く形成されたホログラム１０を、安価かつ容易に形成することができる。
【００７４】
加えて、このような同時露光によれば、ホログラム記録材料の同一の領域に、第１干渉縞１１ａおよび第２干渉縞１１ｂの両方を記録することができる。この結果、第１干渉縞１１ａによって再生される第１像１２ａおよび第２干渉縞１１ｂによって再生される第２像１２ｂが重なって観察されるようにもなり、これにより、ホログラム１０の意匠性および識別性をさらに向上させることができる。
【００７５】
ところで、同時露光によって第１干渉縞１１ａおよび第２干渉縞１１ｂを並行してホログラム記録材料２０に記録する場合、第１干渉縞１１ａを形成するための第１参照光Ｌ１ｒおよび第１物体光Ｌ３ｏと、第２干渉縞１１ｂを形成するための第２参照光Ｌ２ｒおよび第２物体光Ｌ４ｏとが、同時に、ホログラム記録材料２０内へ入射する。したがって、第１参照光Ｌ１ｒおよび第１物体光Ｌ３ｏのいずれかと第２参照光Ｌ２ｒおよび第２物体光Ｌ４ｏとが干渉してなる不要な干渉縞が記録されてしまう可能性もある。このような不具合を回避する具体策として、第１波長の第１参照光Ｌ１ｒが第１レーザ光源から発振され、第１波長の第２参照光Ｌ２ｒが第１レーザ光源とは別の第２レーザ光源から発振されるようにすればよい。
【００７６】
ここで、図１２〜図１５には、本件発明者が、異なる二つのレーザ光源５０ａ，５０ｂから発生されたレーザ光Ｌ１２１ａ，Ｌ１２１ｂの間での干渉と、同一のレーザ光源５０ｃから発生されたレーザＬ１３１光を分離してなる分離光Ｌ１３１ａ，Ｌ１３１ｂ間での干渉と、を調査した結果を示している。図１２に示すように、異なる二つのレーザ光源５０ａ，５０ｂから発振された二つのレーザ光Ｌ１２１ａ，Ｌ１２１ｂを、ハーフミラーＨＭで合成して、その後スペイシャルフィルタＳＦによって広げ、スクリーン５５上に投影した。この場合、図１４に示すように、スクリーン５５上の、スペイシャルフィルタＳＦによる拡散方向に対応する略円形領域に、光５７が投影されており、明暗縞からなる干渉模様は観察されなかった。一方、図１３に示すように、単一のレーザ光源５０ｃから発生されたレーザ光Ｌ１３１を、ビームスプリッタＢＳでいったん分離した後に分離光Ｌ１３１ａ，Ｌ１３１ｂをハーフミラーＨＭで再度合成し、その後スペイシャルフィルタＳＦによって広げ、スクリーン５５上に投影した。この場合、図１５に示すように、スクリーン５５上の、スペイシャルフィルタＳＦによる拡散方向に対応する円形領域内に、光５８が縞状に投影され、明暗縞からなる干渉模様が明瞭に観察された。すなわち、図１２〜図１５に示す実験によっても、異なるレーザ光源５０ａ，５０ｂから発振された同一波長のレーザ光Ｌ１２１ａ，Ｌ１２１ｂの干渉性が著しく低くなることが確認された。なお、図１２〜図１５に示す実験においては、波長が５３２ｎｍのレーザ光を発振する市販されている半導体励起固体（DPSS: Diode pumped Solid State）レーザーをレーザ光源５０ａ，５０ｂ，５０ｃとして用いた。
【００７７】
したがって、このようなレーザ光の干渉特性に基づき、複数のレーザ光源を用いた同時露光によれば、複数のレーザ光源のうちの、同一のレーザ光源から発生された光の間（すなわち、一つのレーザ光源から発振された参照光と、当該参照光が再生照明光として回折されてなる再生光としての物体光と、の間）での干渉縞１１ａ，１１ｂのみが、ホログラム記録材料２０に記録されるようになる。すなわち、複数のレーザ光源の各々から発生されたレーザ光が、それぞれ、再生照明光としても機能する参照光としてホログラム記録材料に露光される場合、ホログラム記録材料２０には、レーザ光源の数と同じ数の干渉縞のみが形成されるようになる。
【００７８】
以上のことから、図１１の例において、第１参照光Ｌ１ｒおよび第２参照光Ｌ２ｒが互いに異なるレーザ光源から発生された光からなる場合には、第１参照光Ｌ１ｒおよび第２参照光Ｌ２ｒは、互いに同一波長の光であったとしても、干渉し合うことはない。すなわち、第１干渉縞１１ａを形成するための光（第１参照光Ｌ１ｒおよび第１物体光Ｌ３ｏ）と、第２干渉縞１１ｂを形成するための光（第２参照光Ｌ２ｒおよび第２物体光Ｌ４ｏ）とが別のレーザ光源から発生されていれば、第１干渉縞１１ａを形成するための光（第１参照光Ｌ１ｒおよび第１物体光Ｌ３ｏ）と、第２干渉縞１１ｂを形成するための光（第２参照光Ｌ２ｒおよび第２物体光Ｌ４ｏ）とは互いに干渉することはない。このため、第１干渉縞１１ａを形成するための第１参照光Ｌ１ｒおよび第１物体光Ｌ３ｏのいずれかと、第２干渉縞１１ｂを形成するための第２参照光Ｌ２ｒおよび第２物体光Ｌ４ｏのいずれかとが、干渉してなる不要な干渉縞がホログラム記録材料２０に記録されることはない。これにより、不要な干渉縞によって意図しない方向へ回折される再生光が生じることが防止され、第１干渉縞１１ａおよび第２干渉縞１１ｂでの回折によって明るい再生光を得ることができる。
【００７９】
第１干渉縞１１ａおよび第２干渉縞１１ｂが記録されたホログラム記録材料２０は、その後、後処理工程を施され、ホログラム記録材料２０からホログラム１０が得られるようになる。なお、後処理の内容は、ホログラム記録材料２０をなす材料によって異なるが、一例として、紫外線照射および加熱処理が、一連の後処理としてホログラム記録材料２０に実施され得る。
【００８０】
以上のような本実施の形態によれば、同一方向ｄ１からのホログラム１０への入射光Ｌ１ａ，Ｌ１ｂによって、異なる波長の光が回折されるようになる。すなわち、例えば白色光が所定の入射角度でホログラム１０へ入射した場合、複数色の再生光Ｌ３ａ，Ｌ３ｂを観察することができる。とりわけ本実施の形態によれば、同一方向ｄ１からの異なる波長の光Ｌ３ａ，Ｌ３ｂが同一方向ｄ３に回折され、複数色の再生光Ｌ３ａ，Ｌ３ｂを同時に観察することができる。
【００８１】
このような複数色で再生光Ｌ３ａ，Ｌ３ｂを回折するホログラム１０については、それぞれ入手は困難であるものの、各色の光をそれぞれ発生させ得るレーザ光源と、各色の光に対してそれぞれ感度を有したホログラム記録材料と、を用意することによって、コンタクトコピーによる複製（偽造）が可能となってしまう。
【００８２】
一方、上述した製造方法によれば、単一な波長のレーザ光Ｌ１ｒ，Ｌ２ｒで露光することによって、このようなホログラム１０を作製している。すなわち、実際の使用において、第２像１２ｂを再生することを意図された光（第２波長の光）とは別の波長の光（第１波長の光）を用いて、第２干渉縞１１ｂを記録している。一般的に、干渉縞の記録に用いられ得る高出力のレーザ光源は限られており、このため、高出力で発生されるレーザ光の波長も特定の波長に限られている。したがって、例えば、第１方向ｄ１からホログラム１０へ入射して第２干渉縞１１ｂのブラッグ反射条件を満たすようになる光の波長（第２波長）が、高出力のレーザ光源から発生され得ない波長、例えば波長が５７０〜５８０ｎｍ程度の黄色を表示する光になっていれば、ホログラム１０のコンタクトコピーによる偽造を効果的に困難にすることができる。なお、第１方向ｄ１からホログラム１０へ入射して第２干渉縞１１ｂのブラッグ反射条件を満たすようになる光の波長は、第２干渉縞１１ｂの記録時における参照光Ｌ２ｒおよび物体光Ｌ４ｏのホログラム記録材料２０への入射角度を制御することにより、ブラッグ条件を満たす範囲で、調節可能である。
【００８３】
また、本実施の形態によれば、単一な波長の光Ｌ１ｒ，Ｌ２ｒ，Ｌ３ｏ，Ｌ４ｏをホログラム記録材料２０に同時に露光することによって、第１干渉縞１１ａおよび第２干渉縞１１ｂが同時に記録されていく。したがって、ホログラム１０を一回の露光工程によって効率的に作製することができる。すなわち、コンタクトコピーによる偽造に対して優れた耐性をホログラム１０に付与することが可能となるだけでなく、このホログラム１０を容易且つ安価に作製することができる。
【００８４】
とりわけ本実施の形態では、作製されるべきホログラム１０において使用時に回折されることを意図された第１波長の光Ｌ１ａおよび第２波長の光Ｌ１ｂは同一の第１方向からホログラム１０へ入射する。したがって、第１干渉縞１１ａおよび第２干渉縞１１ｂを記録するための共に第１波長の第１参照光Ｌ１ｒおよび第２参照光Ｌ２ｒのホログラム記録材料２０への入射方向は異なる方向となる。ただし、互いに同一波長（第１波長）の第１参照光Ｌ１ｒおよび第２参照光Ｌ２ｒは、互いに異なるレーザ光源で発生された光であることから、互いに干渉し合うことはない。このため、同時露光によって並行して第１干渉縞１１ａおよび第２干渉縞１１ｂを記録する際、第１干渉縞１１ａを記録するための光（第１参照光Ｌ１ｒおよび第１物体光Ｌ３ｏ）と、第２干渉縞１１ｂを記録するための光（第２参照光Ｌ２ｒおよび第２物体光Ｌ４ｏ）とが干渉してなる不要な明暗縞（干渉縞）が、ホログラム記録材料２０に記録されることもない。
【００８５】
さらに、本実施の形態によれば、単一な波長のレーザ光Ｌ１ｒ，Ｌ２ｒを用いてホログラム１０を作製しているので、干渉縞１１ａ，１１ｂを記録するためのホログラム記録材料２０として、当該単一な波長付近の波長域に感光性を示す材料を選択することができる。この点においても、上述した偽造に対する優れた耐性をホログラム１０に付与することが可能となるだけでなく、このホログラム１０を容易且つ安価に作製することができる。
【００８６】
加えて、本実施の形態によれば、第１干渉縞１１ａで回折されてなる第１再生光Ｌ３ａによって、三次元像が再生されるようになる。したがって、第１干渉縞１１ａによって再生される第１の像１２ａに、優れた意匠性および高い識別性を付与することができる。このようなホログラム１０は、真贋の判定が極めて容易となることから、真正性を標示する真正性標示体として有効に機能し得る。
【００８７】
さらに、本実施の形態によれば、第１干渉縞１１ａでの回折光Ｌ３ａによって再生される像１２ａとは別の色で、第２干渉縞１１ｂでの回折光Ｌ３ｂによって二次元パターン１２ｂが、再生されるようになる。この二次元パターンに意匠性や情報等を付与することができ、これにより、ホログラム１０が真正性を標示する真正性標示体として有効に機能するようにすることができる。
【００８８】
さらに、本実施の形態によれば、第２像１２ｂは、厚みを有さない二次元パターンとして再生される。加えて、二次元パターンとして再生される第２像１２ｂは、ホログラム１０の表面上に位置するようになる。したがって、第２像１２ｂが、ホログラム１０と平行な平面方向において大きくずれた位置に、異なる色で再生されるようになることはない。この結果、ホログラムを遠く離れた位置から観察した場合においても、第２像１２ｂがぼやけて視認されるようになることを防止することができる。
【００８９】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００９０】
上述した実施の形態において、第１方向ｄ１から入射する第１波長の第１再生照明光Ｌ１ａが第１干渉縞１１ａで回折されることによって再生される第１像１２ａと、第１方向ｄ１から入射する第２波長の第２再生照明光Ｌ１ｂが第２干渉縞１１ｂで回折されることによって再生される第２像１２ｂと、の両方が少なくとも一つの方向から観察されるようにした例、すなわち、第１干渉縞１１ａによって再生される第１像１２ａと、第２干渉縞１１ｂによって再生される第２像１２ｂと、が同時に観察され得る例を示したが、これに限られない。第１方向ｄ１から入射する第１波長の第１再生照明光Ｌ１ａが第１干渉縞１１ａで回折される方向と、第１方向ｄ１から入射する第２波長の第２再生照明光Ｌ１ｂが第２干渉縞１１ｂで回折される方向と、が異なっているようにしてもよい。すなわち、第１像１２ａと第２像１２ｂとが同時に観察されることがなく、観察方向を変化させていくことによって、二つの像１２ａ，１２ｂがそれぞれ別の方向から観察されるようにしてもよい。
【００９１】
また、上述した実施の形態において、第２干渉縞１１ｂによって再生される第２像１２ｂが二次元文字列パターンからなる例を示したがこれに限られない。例えば、第２干渉縞１１ｂが、ブラッグ条件を満たす入射光を散乱反射するようにしてもよい。すなわち、第２干渉縞１１ｂが、ホログラフィック散乱板として機能するようにしてもよい。あるいは、第２干渉縞１１ｂが、ブラッグ条件を満たす平行入射光束を平行光束として反射するようにしてもよい。すなわち、第２干渉縞１１ｂが、ホログラフィックミラーとして機能するようにしてもよい。なお、第２干渉縞１１ｂがホログラフィックミラーとして機能する場合には、第２干渉縞１１ｂでの回折光が、その回折方向によらず、平行光束となる。したがって、第２干渉縞１１ｂでの回折光が像ぼけ等の不具合を生じさせることなく、第２干渉縞１１ｂでの回折光を明瞭に観察することができる。
【００９２】
さらに、上述した実施の形態において、第１干渉縞１１ａによって再生される第１像１２ａが三次元像からなる例を示したがこれに限られない。第１干渉縞１１ａによって再生される第１像１２ａが、文字、数字、記号および模様からなる群より選択される一以上を配列してなる二次元パターンとして構成されてもよいし、あるいは、ホログラフィック散乱板やホログラフィックミラーとして構成されてもよい。なお、第１像１２ａが、文字、数字、記号および模様からなる群より選択される一以上からなる二次元パターンからなる場合には、この二次元パターンを構成する一つ当たりの文字、数字、記号または模様は、７２μｍ四方の領域内に入る大きさとなっていてもよい。
【００９３】
さらに、第１像１２ａおよび第２像１２ｂが、二次元パターン、ホログラフィック散乱板、または、ホログラフィックミラーとして構成されている場合には、第１方向ｄ１から入射する第１波長の第１再生照明光Ｌ１ａが第１干渉縞１１ａで回折されてなる第１再生光Ｌ３ｂと、第１方向ｄ１から入射する第２波長の第２再生照明光Ｌ１ｂが第２干渉縞１１ｂで回折されてなる第２再生光Ｌ３ａと、の両方が同一方向から観察されるようにしてもよい。さらには、第１像１２ａおよび第２像１２ｂが、二次元パターン、ホログラフィック散乱板、または、ホログラフィックミラーとして構成されている場合には、第１方向ｄ１からの第１波長の第１再生照明光Ｌ１ａを第１干渉縞１１ａで回折することによって再生される第１像１２ａと、第１方向ｄ１からの第２波長の第２再生照明光Ｌ１ｂを第２干渉縞１１ｂで回折することによって再生される第２像１２ｂとが、同一の方向から観察され、且つ、体積型ホログラム１０の表面への法線方向に沿って互いにずれた位置に観察されるように（言い換えると、異なる高さ方向の位置に観察されるように）、再生されるようにしてもよい。このような変形例によっても、第１干渉縞１１での回折光によって再生される二次元パターンと、第２干渉縞１１ａでの回折光によって再生される二次元パターンと、が高さ方向にずれた位置に観察されるので、ホログラム１０によって再生される像が全体として三次元像として観察され、ホログラム１０に優れた意匠性および高い識別性を付与することができる。
【００９４】
さらに上述した実施の形態において、ホログラム原版３０，４０からの再生光を物体光として用いてホログラム記録材料２０に干渉縞１１ａ，１１ｂを記録するようにした例を示したが、これに限られない。例えば、模型からの反射光を物体光としてホログラム記録材料２０に入射させて、当該ホログラム記録材料２０に干渉縞１１ａ，１１ｂを記録するようにしてもよい。
【００９５】
さらに、上述した実施の形態において、第１干渉縞１１ａおよび第２干渉縞１１ｂがそれぞれ反射型の体積型ホログラムとして機能する例を示したが、第１干渉縞１１ａおよび第２干渉縞１１ｂの少なくとも一方が透過型の体積型ホログラムとして機能するようにしてもよい。
【００９６】
さらに、上述した実施の形態において、第１ホログラム原版３０が反射型体積ホログラムからなる例を示したこれに限られず、第１ホログラム原版が透過型体積ホログラムからなるようにしてもよい。第１ホログラム原版が透過型体積ホログラムからなる場合、次のようにして、第１干渉縞１１ａをホログラム記録材料２０に記録することができる。まず、透過型体積ホログラムからなる第１ホログラム原版を、ホログラム記録材料２０の一方の面の側に配置し、当該第１ホログラム原版にそのブラッグ条件を満たすようにコヒーレントな光を入射させる。この結果、第１ホログラム原版からホログラム記録材料２０に向けて、回折光としての第１物体光が入射するとともに、回折されることなく第１ホログラム原版３０を透過した０次光としての第１参照光が入射する。これにより、第１参照光および第１物体光が干渉してなる明暗縞のパターンに対応して、第１干渉縞１１ａをホログラム記録材料２０に記録することができる。また、第１ホログラム原版３０と同様に、上述した実施の形態において、第２ホログラム原版４０が反射型体積ホログラムからなる例を示したがこれに限られず、第２ホログラム原版が透過型体積ホログラムからなるようにしてもよい。
【００９７】
さらに上述した実施の形態において、第１干渉縞１１ａと第２干渉縞１１とが同一のタイミングで記録される例を示したが、これに限られない。例えば、図１０および図１１に示すように、第１干渉縞１１ａを記録する工程と、第２干渉縞１１ｂを記録する工程とが、別々のタイミングで実施されてもよい。また、図１０および図１１に示す変形例においては、ホログラム記録材料２０中の第１領域２１ａ（図２参照）に、第１干渉縞１１ａが形成され、第１領域以外の領域であるホログラム記録材料２０中の第２領域２１ｂ（図２参照）に、第２干渉縞１１ｂが形成される。
【００９８】
図１０に示す第１干渉縞を記録する工程において、ホログラム記録材料２０には、一方の面２０ｂの側から第１波長の第１参照光Ｌ１ｒが第１方向ｄ１に沿って照射される。ホログラム記録材料２０の他方の面２０ａの側には、上述した第１ホログラム原版３０が配置されており、ホログラム記録材料２０を透過した第１参照光Ｌ１ｒは、第１ホログラム原版３０へそのブラッグ条件を満たすように入射する。この結果、上述したように、第１ホログラム原版３０からの再生光（回折光）としての第１物体光Ｌ３ｏが、第３方向ｄ３方向を中心とする方向に沿って、ホログラム記録材料２０に他方の面の側から入射し、ホログラム記録材料２０に第１干渉縞１１ａが記録されるようになる。
【００９９】
図示する変形例においては、上述したように、第１干渉縞１１ａはホログラム記録材料２０中の一部の領域にのみ形成され、第１干渉縞１１ａが記録されていないホログラム記録材料２０の他の領域に、第２干渉縞１１ｂが記録されるようになる。このため、図１０に示されているように、レーザ光源からのレーザ光が照射されている間、レーザ光照射が実施されるホログラム記録材料２０の一方の面２０ｂには、第１マスク３６が配置されている。第１マスク３６は、第２干渉縞１１ｂが記録されるようになるホログラム記録材料２０の第２領域２１ｂ（図２参照）へのレーザ光の入射を遮光するようになっている。この結果、第１干渉縞１１ａを記録する工程中、ホログラム記録材料２０の第１領域２１ａ（図２参照）においてのみ感光が進み、ホログラム記録材料２０の第２領域２１ｂにおける感光が防止される。
【０１００】
また、図１０に示すように、第１ホログラム原版３０のホログラム記録材料２０に面していない側の面上には、上述した実施の形態と同様に、遮光層３７が設けられており、意図しない干渉縞の記録が防止されるようになっている。
【０１０１】
一方、図１１に示す第２干渉縞を記録する工程において、ホログラム記録材料２０には、一方の面２０ｂの側から第１波長の第２参照光Ｌ２ｒが第２方向ｄ２に沿って照射される。ホログラム記録材料２０の他方の面２０ａの側には、上述した第２ホログラム原版４０が配置されており、ホログラム記録材料２０を透過した第２参照光Ｌ２ｒは、第２ホログラム原版４０へそのブラッグ条件を満たすように入射する。この結果、上述したように、第２ホログラム原版４０からの再生光（回折光）としての第２物体光Ｌ４ｏが、第４方向ｄ４方向を中心とする方向に沿って、ホログラム記録材料２０に他方の面の側から入射し、ホログラム記録材料２０に第２干渉縞１１ｂが記録されるようになる。
【０１０２】
図示する変形例では、図１１に示されているように、レーザ光源からのレーザ光が照射されている間、レーザ光照射が実施されるホログラム記録材料２０の一方の面２０ｂには、第２マスク４６が配置されている。第２マスク４６は、第１干渉縞１１ａが記録されるホログラム記録材料２０の第１領域２１ａ（図２参照）へのレーザ光の入射を遮光するようになっている。この結果、第２干渉縞１１ｂを記録する工程中、ホログラム記録材料２０の第２領域２１ｂ（図２参照）においてのみ感光が進み、ホログラム記録材料２０の第１領域２１ａにおける感光が防止される。また、図１１に示すように、第２ホログラム原版４０のホログラム記録材料２０に面していない側の面上には、上述した実施の形態と同様に、遮光層４７が設けられており、意図しない干渉縞の記録が防止されるようになっている。
【０１０３】
以上のようにして、第１干渉縞１１ａおよび第２干渉縞１１ｂを別々のタイミングでホログラム記録材料２０に記録することができる。なお、第１干渉縞１１ａを記録する工程および第２干渉縞１１ｂを記録する工程は、いずれを先に実施してもよい。
【０１０４】
このような変形例では、第１干渉縞１１ａおよび第２干渉縞１１ｂが別々のタイミングで形成されている。したがって、第１干渉縞１１ａを形成するための第１参照光Ｌ１ｒおよび第１物体光Ｌ３ｏと、第２干渉縞１１ｂを形成するための第２参照光Ｌ２ｒおよび第２物体光Ｌ４ｏと、がホログラム記録材料２０に同時に露光されることはない。このため、第１干渉縞１１ａを形成するための第１参照光Ｌ１ｒおよび第１物体光Ｌ３ｏのいずれかと、第２干渉縞１１ｂを形成するための第２参照光Ｌ２ｒおよび第２物体光Ｌ４ｏのいずれかとが、干渉してなる不要な干渉縞がホログラム記録材料２０に記録されることはない。これにより、不要な干渉縞によって意図しない方向へ回折される再生光が生じることが防止され、第１干渉縞１１ａおよび第２干渉縞１１ｂでの回折によって明るい再生光を得ることができる。
【０１０５】
加えて、第１干渉縞１１ａを形成するための第１参照光Ｌ１ｒおよび第１物体光Ｌ３ｏと、第２干渉縞１１ｂを形成するための第２参照光Ｌ２ｒおよび第２物体光Ｌ４ｏとは同一波長の光である。したがって、第１参照光Ｌ１ｒを発生させるレーザ光源と同一のレーザ光源から第２参照光Ｌ２ｒを発生させるようにしてもよい。この結果、異なる色で像を再生することを意図された二つの干渉縞１１ａ，１１ｂをホログラム記録材料２０に記録するために、単一のレーザ光源を用意しさえすれば良いことになる。
【０１０６】
また、以上のホログラムの製造方法によれば、第１干渉縞１１ａおよび第２干渉縞１１ｂの作製中に適宜マスク３６，４６を用いることにより、第１干渉縞１１ａが記録される領域２１ａと、第２干渉縞１１ｂが記録される領域２１ｂと、がホログラム記録材料２０中で区分けされている。したがって、後に記録される干渉縞（上記例では第２干渉縞１１ｂ）の記録中に、当該干渉縞を形成するための参照光および物体光が、それまでに記録されている干渉縞（上記例では第１干渉縞１１ａ）によって意図しない方向へ回折されることを防止することができる。これにより、参照光または物体光と意図しない方向へ回折された光との干渉による不要な干渉縞がホログラム記録材料２０に記録されてしまうことも防止することができる。
【０１０７】
なお、以上において上述した実施の形態に対するいくつかの変形例を説明してきたが、当然に、複数の変形例を適宜組み合わせて適用することも可能である。
【符号の説明】
【０１０８】
１０  体積型ホログラム（ホログラム）
１０ａ  第１面
１０ｂ  第２面
１１ａ  第１干渉縞
１１ｂ  第２干渉縞
１２ａ  第１像
１２ｂ  第２像
２０  ホログラム記録材料
２０ａ  第１面（一方の面）
２０ｂ  第２面（他方の面）
２１ａ  第１領域
２１ｂ  第２領域
２５  積層原版
３０  第１ホログラム原版
３５  ホログラム記録材料（第１ホログラム原版用ホログラム記録材料）
３５ａ  第１面（他方の面）
３５ｂ  第２面（一方の面）
３６  マスク（第１マスク）
３７  遮光層
４０  第２ホログラム原版
４５  ホログラム記録材料（第２ホログラム原版用ホログラム記録材料）
４５ａ  第１面（他方の面）
４５ｂ  第２面（一方の面）
４６  マスク（第２マスク）
４７  遮光層
４８  マスク（遮光マスク）
４９  ホログラフィック散乱板
【図１】
0005533124.tif 000002
【図２】
0005533124.tif 000003
【図３】
0005533124.tif 000004
【図４】
0005533124.tif 000005
【図５】
0005533124.tif 000006
【図６】
0005533124.tif 000007
【図７】
0005533124.tif 000008
【図８】
0005533124.tif 000009
【図９】
0005533124.tif 000010
【図１０】
0005533124.tif 000011
【図１１】
0005533124.tif 000012
【図１２】
0005533124.tif 000013
【図１３】
0005533124.tif 000014
【図１４】
0005533124.tif 000015
【図１５】
0005533124.tif 000016